(57)【要約】【課題】複雑な処理を行うことなく、残響時間の長短に応じた適度なゲインを用いて残響成分を抑制し得る残響抑制装置等を提供する。【解決手段】残響抑制装置は、入力信号（Ｘ（ｋ））のエンベロープを推定してエンベロープ信号（Ｅ（ｋ））を生成するエンベロープ信号生成部（２０）と、エンベロープ信号及びそれに応じて推定される第１残響成分（Ｒ１（ｋ））の大小関係に応じた第１の区間には基本的なゲインＧ（ｋ）を所定のゲイン下限値に設定する残響抑制部（２１、２２、２３）と、エンベロープ信号を平滑化するとともに対数値に変換して生成した第２残響成分の時間的変化率に応じて残響時間の長短を判定する残響時間判定部（２４）と、残響抑制部から出力されたゲイン（Ｇｓ（ｋ））を入力信号に乗じるゲイン処理部（１１）を備え、前述のゲイン下限値が残響時間判定部の判定結果に応じて制御される。【選択図】図１
2020028016.tif 000002
【特許請求の範囲】
【請求項１】
入力信号のエンベロープを推定してエンベロープ信号を生成するエンベロープ信号生成部と、
前記エンベロープ信号と当該エンベロープ信号に応じて推定される第１残響成分と所定のゲイン下限値に基づき前記入力信号に対する基本的なゲインを算出し、前記エンベロープ信号と前記第１残響成分の大小関係に応じた第１の区間の前記ゲインを前記ゲイン下限値に設定する残響抑制部と、
前記エンベロープ信号を平滑化するとともに対数値に変換して第２残響成分を生成し、前記第２残響成分の時間的変化率に応じて推定される残響時間の長短を判定する残響時間判定部と、
前記入力信号に対し、前記残響抑制部により出力された前記ゲインを乗じるゲイン処理部と、
を備え、
前記ゲイン下限値が前記残響時間判定部の判定結果に応じて制御されることを特徴とする残響抑制装置。
【請求項２】
前記残響時間判定部は、前記第２残響成分が時間的に減少している状況で、前記時間的変化率が予め設定された所定値より小さい場合は前記ゲイン下限値を第１のゲイン下限値に設定し、前記時間的変化率が前記所定値以上の場合は前記ゲイン下限値を前記第１のゲイン下限値より小さい第２のゲイン下限値に設定することを特徴とする請求項１に記載の残響抑制装置。
【請求項３】
前記残響時間判定部は、前記第２残響成分が時間的に減少している状況で、前記時間的変化率が小さい場合は大きい場合より前記ゲイン下限値が大きくなるように連続的に前記ゲイン下限値を変化させることを特徴とする請求項１に記載の残響抑制装置。
【請求項４】
前記残響抑制部は、
前記エンベロープ信号の移動平均を前記第１残響成分として算出する残響成分推定部と、
前記エンベロープ信号と前記第１残響成分との大小関係に応じて、前記入力信号に対する基本的なゲインを算出するとともに、前記ゲインが前記ゲイン下限値に満たない場合は前記ゲインを前記ゲイン下限値に設定するゲイン算出部と、
を含んで構成されることを特徴とする請求項１又は２に記載の残響抑制装置。
【請求項５】
外部入力信号を複数の周波数帯域の成分である複数の前記入力信号に分割する分析フィルタバンクと、
前記ゲイン処理部から出力される前記複数の周波数帯域の成分を合成して出力信号を生成する合成フィルタバンクと、
を更に備え、
前記複数の周波数帯域に対応する複数の前記エンベロープ信号生成部、複数の前記残響時間判定部、複数の前記残響抑制部がそれぞれ設けられることを特徴とする請求項１に記載の残響抑制装置。
【請求項６】
音を電気信号に変換するマイクロホンと、
電気信号を音に変換するレシーバと、
前記マイクロホンの出力信号から抽出される入力信号のエンベロープを推定してエンベロープ信号を生成するエンベロープ信号生成部と、
前記エンベロープ信号と当該エンベロープ信号に応じて推定される第１残響成分とに基づき前記入力信号に対するゲインを算出し、前記エンベロープ信号と前記第１残響成分の大小関係に応じた第１の区間には前記ゲインを所定のゲイン下限値に設定する残響抑制部と、
前記エンベロープ信号を平滑化するとともに対数値に変換して第２残響成分を生成し、前記第２残響成分の時間的変化率に応じて推定される残響時間の長短を判定する残響時間判定部と、
前記入力信号に対し、前記残響抑制部により出力された前記ゲインを乗じるゲイン処理部を含む補聴処理部と、
を備え、
前記ゲイン下限値は、前記残響時間判定部の判定結果に応じて制御されることを特徴とする補聴器。
【発明の詳細な説明】
【技術分野】
【０００１】
本発明は、音声信号に含まれる残響成分を抑制する残響抑制装置及びそれを具備する補聴器に関する。
【背景技術】
【０００２】
従来から、補聴器等の機器の使用時に発生する残響音を抑制して聞き取りやすくするため、信号処理により音声信号に含まれる残響成分を抑制する種々の技術が提案されている。例えば、音響空間に固有の残響時間を判別できれば、それを信号処理に反映させて残響成分を抑制することが可能である。例えば特許文献１には、特定周波数帯域の音響成分から初期反射成分の強度と後期残響成分の強度とを算出し、それに応じて残響時間を推定する技術が提案されている。しかし、補聴器等の機器において、環境音に基づきリアルタイムに残響時間を推定することは、演算量が多い煩雑な処理が必要となり現実的ではない。一方、例えば特許文献２には、入力信号の瞬時値と、その瞬時値に基づく残響成分とを求め、瞬時値が残響成分より小さい期間にはゲインの値を所定のゲイン下限値に設定することで、残響成分を抑制する技術が開示されている。補聴器等の機器において、特許文献２の技術を導入すれば、比較的少ない演算量で残響成分を抑制することができる。
【先行技術文献】
【特許文献】
【０００３】
【特許文献１】特開２０１５−１６１８１４号公報
【特許文献２】特開２０１６−５４４２１号公報
【発明の概要】
【発明が解決しようとする課題】
【０００４】
上記特許文献２の技術を適用する場合、十分に残響成分を抑制するにはゲイン下限値を低い値に設定する必要がある。しかし、実際の音響空間において、残響時間が長い場合にはゲインを十分に低くして後期残響音を抑制することが望ましいが、残響時間が短い場合でも同様の残響抑制が働くためにゲインが低くなり過ぎ、使用者が違和感を受けることも想定される。このように、上記特許文献２の技術では、音響空間の残響時間が十分に短い場合であっても、不必要な残響抑制に伴うゲインの低下に起因して違和感を生じさせるという問題があった。
【０００５】
本発明はこれらの問題を解決するためになされたものであり、複雑な処理を行うことなく、音響空間における残響時間の長短に応じた適度なゲインを用いて残響成分を抑制し、使用者が違和感を受けない残響抑制装置及び補聴器を提供するものである。
【課題を解決するための手段】
【０００６】
上記課題を解決するために、本発明の残響抑制装置は、入力信号（Ｘ（ｋ）のエンベロープを推定してエンベロープ信号（Ｅ（ｋ））を生成するエンベロープ信号生成部（２０）と、前記エンベロープ信号と当該エンベロープ信号に応じて推定される第１残響成分（Ｒ１（ｋ））と所定のゲイン下限値（ＧＬ）に基づき前記入力信号に対する基本的なゲイン（Ｇ（ｋ））を算出し、前記エンベロープ信号と前記第１残響成分の大小関係に応じた第１の区間の前記ゲインを前記ゲイン下限値に設定する残響抑制部（２１、２２）と、前記エンベロープ信号を平滑化するとともに対数値に変換して第２残響成分（Ｒ２（ｋ））を生成し、前記第２残響成分の時間的変化率に応じて推定される残響時間の長短を判定する残響時間判定部（２４）と、前記入力信号に対し、前記残響抑制部により出力された前記ゲインを乗じるゲイン処理部（１１）とを備えて構成され、前記ゲイン下限値が前記残響時間判定部の判定結果に応じて制御されることを特徴としている。
【０００７】
本発明の残響抑制装置によれば、エンベロープ信号と第１残響成分とにより算出される基本的なゲインを残響抑制時にゲイン下限値にする構成を備えるが、それに加えて残響時間判定部を設けて残響時間の長短の判定結果に応じてゲイン下限値を制御することにより、残響時間が短い場合における不必要な残響抑制を行うことを回避することができる。これにより、残響時間が長い環境では後期残響音の存在する区間に小さいゲイン下限値を設定して残響音を抑制する一方、残響時間が短い環境ではゲイン下限値が下がりすぎないように設定することで、使用者の受ける違和感を軽減することができる。
【０００８】
本発明の残響時間判定部においては、第２残響成分が時間的に減少している状況で、時間的変化率の絶対値が予め設定された所定値より大きい場合はゲイン下限値を第１のゲイン下限値に設定し、時間的変化率の絶対値が所定値に満たない場合はゲイン下限値を第１のゲイン下限値より小さい第２のゲイン下限値に設定することができる。これにより、所定値に対応する所定の残響時間を境界として、それより残響時間が短い場合はゲイン下限値を上げて違和感を軽減し、それより残響時間が長くなる場合はゲイン下限値を下げて残響抑制の効果を十分に高めることができる。所定値との比較対象は、時間的変化率の絶対値を用いなくてもよい。絶対値を用いない場合は、第２残響成分が時間的に減少している状況で、時間的変化率（負）が予め設定された負の所定値より小さい場合はゲイン下限値を第１のゲイン下限値に設定し、時間的変化率が負の所定値を超える場合はゲイン下限値を第１のゲイン下限値より小さい第２のゲイン下限値に設定することができる。
【０００９】
本発明の残響抑制部は、多様な構成を適用することができる。例えば、残響抑制部を、エンベロープ信号の移動平均を第１残響成分として算出する残響成分推定部（２１）と、エンベロープ信号と第１残響成分との大小関係に応じて入力信号に対する基本的なゲインを算出するとともに、そのゲインがゲイン下限値に満たない場合はゲインをゲイン下限値に設定するゲイン算出部（２２）とを含めて構成することができる。更には、ゲイン算出部により算出されたゲインに対してスムージング処理を施して平滑化するスムージング処理部（２３）を含めてもよい。
【００１０】
本発明のエンベロープ信号生成部は、入力信号の絶対値又は２乗に相関がある値の前記エンベロープに基づいて前記エンベロープ信号を生成することができる。この場合、入力信号の絶対値を用いる場合は振幅のエンベロープに対応し、入力信号の２乗を用いる場合はパワーのエンベロープに対応する。
【００１１】
本発明において、外部入力信号を複数の周波数帯域の成分である複数の入力信号に分割する分析フィルタバンク（１０）と、ゲイン処理部から出力される複数の周波数帯域の成分を合成して出力信号を生成する合成フィルタバンク（１２）とを更に設けるとともに、複数の周波数帯域に対応する複数のエンベロープ信号生成部、複数の残響時間判定部、複数の残響抑制部をそれぞれ設けてもよい。この場合、前述のゲイン下限値は、複数の周波数帯域の各々に対して個別に設定することが望ましい。これにより、複数の周波数帯域の各々異なる特性を反映しつつ残響抑制の効き方を制御でき、自由度が高く適切な残響抑制が可能となる。
【００１２】
また、上記課題を解決するために、本発明の補聴器は、音を電気信号に変換するマイクロホン（３０）と、電気信号を音に変換するレシーバ（３２）と、前記マイクロホンの出力信号から抽出される入力信号のエンベロープを推定してエンベロープ信号を生成するエンベロープ信号生成部と、前記エンベロープ信号と当該エンベロープ信号に応じて推定される第１残響成分とに基づき前記入力信号に対するゲインを算出し、前記エンベロープ信号と前記第１残響成分の大小関係に応じた第１の区間には前記ゲインを所定のゲイン下限値に設定する残響抑制部と、前記エンベロープ信号を平滑化するとともに対数値に変換して第２残響成分を生成し、前記第２残響成分の時間的変化率に応じて推定される残響時間の長短を判定する残響時間判定部と、前記入力信号に対し、前記残響抑制部により出力された前記ゲインを乗じるゲイン処理部を含む補聴処理部（３１）とを備えて構成され、前記ゲイン下限値は、前記残響時間判定部の判定結果に応じて制御されることを特徴としている。
【発明の効果】
【００１３】
以上説明したように、本発明によれば、複雑な処理を行うことなく、音響空間における残響時間の長短に応じた適度なゲインで残響成分を効果的に抑制でき、残響時間が短い環境で不要な残響抑制を行うことなく使用者にとって違和感を受けない快適な残響抑制装置とそれを含む補聴器を実現することができる。
【図面の簡単な説明】
【００１４】
【図１】本発明の一実施形態に係る残響抑制装置の全体的な構成を示すブロック図である。
【図２】音響空間において残響時間の長短に応じて、入力信号のパワー及びエンベロープの波形の例を示す図である。
【図３】残響時間判定部２４において実行される具体的な処理の流れについて説明するフローチャートである。
【図４】残響時間判定部２４による図３のステップＳ３の判定結果に関連し、第２残響成分Ｒ２（ｋ）の２通りの波形及びその傾きの絶対値Ｓの例を示す図である。
【図５】本発明に係る残響抑制装置を補聴器に適用した場合の構成を示すブロック図である。
【発明を実施するための形態】
【００１５】
以下、本発明を適用した実施形態について添付図面を参照しながら説明する。本実施形態では、残響抑制装置及びそれを備えた補聴器に対して本発明を適用する例について説明する。
【００１６】
本発明の一実施形態に係る残響抑制装置の構成について、図１を参照して説明する。図１は、本実施形態の残響抑制装置の全体的な構成を示すブロック図である。図１に示す残響抑制装置には、分析フィルタバンク１０と、ゲイン処理部１１と、合成フィルタバンク１２と、エンベロープ信号生成部２０と、残響成分推定部２１と、ゲイン算出部２２と、スムージング処理部２３と、残響時間判定部２４と、設定部２５とが含まれる。なお、図１の残響成分推定部２１、ゲイン算出部２２、スムージング処理部２３は、本発明の残響抑制部として機能する。図１の構成に含まれる各要素は、例えば、ディジタル信号処理を実行可能なＤＳＰ(Digital Signal Processor)による信号処理によって実現することができる。
【００１７】
本実施形態の残響抑制装置において、音声信号等を含む外部入力信号Ｓｉｎが分析フィルタバンク１０に入力される。分析フィルタバンク１０は、処理対象である外部入力信号Ｓｉｎを所定の時間間隔であるフレーム毎にディジタル化し、それを複数の周波数帯域の成分である複数の入力信号に分割する。例えば、分析フィルタバンク１０は、Ｍ個（Ｍは２以上の整数）の周波数帯域にそれぞれ対応する窓関数及びＦＦＴ(Fast Fourier Transform）を用いて構成することができる。
【００１８】
時間軸上のｊ番目のフレーム及びｋ番目（ｋ：１〜Ｍの整数）の周波数帯域に関し、分析フィルタバンク１０から出力されるＭ個の入力信号をＸ（ｊ、ｋ）と表記することができる。ただし、表現の簡略化のため、以下では、時間軸上のｊ番目のフレームの表記は省略するものとし、単にｋ番目の周波数帯域の入力信号Ｘ（ｋ）のように表記する。他の信号についても原則として同様に表記するものとする。
【００１９】
ゲイン処理部１１は、分析フィルタバンク１０により分割されたＭ個の入力信号Ｘ（ｋ）に対し、それぞれに対応する後述のゲインを乗じた信号を生成する。この場合、ゲイン処理部１１において必要なゲインは、エンベロープ信号生成部２０、残響時間判定部２４、残響成分推定部２１、ゲイン算出部２２、スムージング処理部２３を含む構成部分による後述の処理により算出することができる。この構成部分については、図１では１系統のみを示しているが、実際にはＭ個の入力信号Ｘ（ｋ）に対応するＭ個の同一の構成部分が並列に配置される。
【００２０】
合成フィルタバンク１２は、フレーム毎にゲイン処理部１１から出力されるＭ個の周波数帯域の成分を合成し、残響抑制装置の出力信号Ｓｏｕｔを生成する。例えば、合成フィルタバンク１２は、Ｍ個の周波数帯域にそれぞれ対応するＩＦＦＴ(Inverse Fast Fourier Transform）及び窓関数を用いて構成することができる。
【００２１】
エンベロープ信号生成部２０は、入力信号Ｘ（ｋ）のパワーのエンベロープ（時間包絡）の値を推定することによりエンベロープ信号Ｅ（ｋ）を算出する。本実施形態におけるエンベロープ信号Ｅ（ｋ）として、入力信号Ｘ（ｋ）の２乗に相関がある入力パワーの推定値を想定する。ただし、エンベロープ信号Ｅ（ｋ）として、パワーのエンベロープに代え、振幅のエンベロープの値を推定し、入力信号Ｘ（ｋ）の絶対値に相関がある入力振幅の推定値を用いてもよい。
【００２２】
ここで、前述の入力信号Ｘ（ｋ）のパワーと、そのパワーのエンベロープに対応するエンベロープ信号Ｅ（ｋ）に関連して、音響空間において残響時間の長短に応じた波形の違いについて、図２を参照して説明する。入力信号のパワー及びエンベロープの波形の例として、図２（Ａ）は残響時間が長い場合の例を示しており、図２（Ｂ）は残響時間が短い場合の例を示している。具体的には、図（Ａ）では入力信号のパワーのピークが緩やかに減少し、それぞれのピークを結ぶエンベロープも同様に緩やかに減少するのに対し、図２（Ｂ）では入力信号のパワーのピークは急速に減少し、それぞれのピークを結ぶエンベロープも同様に急速に減少していく。一般に、特定の音場で生じる残響成分は、時間経過により音響パワーの対数値（ｄＢに対応）が直線的に減少していく特性を有することが知られている。よって、後述するようにリニア値であるエンベロープ信号Ｅ（ｋ）に基づく残響成分の対数値を取り、その傾き（時間的変化率）を判別すれば残響時間を推定することができるが、詳しくは後述する。
【００２３】
残響成分推定部２１は、エンベロープ信号Ｅ（ｋ）の指数移動平均の値を算出することにより平滑化し、その値を第１残響成分Ｒ１（ｋ）として推定して出力する。なお、残響成分推定部２１では、指数移動平均には限らず、他の加重移動平均を用いた処理を採用してもよい。
【００２４】
ゲイン算出部２２は、前述のエンベロープ信号Ｅ（ｋ）及び第１残響成分Ｒ１（ｋ）を用いて、入力信号Ｘ（ｋ）に付与すべきゲインＧ（ｋ）を算出する。ゲインＧ（ｋ）を算出する際には多様な算出式を適用可能である。一例として、次の（１）式に基づいて、基本的なゲインＧ（ｋ）を算出することができる。
【数１】
2020028016.tif 000003
ただし、ａ、ｂは、エンベロープ信号Ｅ（ｋ）の算出方法に応じて適宜に設定される値である。なお、（１）式で算出されるゲインＧ（ｋ）と所定のゲイン下限値とを比較し、ゲイン（ｋ）がゲイン下限値に満たないときは、ゲインＧ（ｋ）をゲイン下限値に設定する。ゲイン下限値の決定方法については後述する。
【００２５】
（１）式で算出されるゲインＧ（ｋ）は、第１残響成分Ｒ１（ｋ）が小さい環境下ではＧ（ｋ）はほぼ１となりあまり変化しないが、第１残響成分Ｒ１（ｋ）が大きい環境下では小さい値に収束することがわかる。なお、ゲインＧ（ｋ）の他の算出方法としては、スペクトルサブトラクション法、ウィーナーフィルタリング法、ＭＭＳＥ−ＳＴＳＡ（minimum mean-square-error short-time spectral amplitude）法などを挙げることができる。
【００２６】
また、ゲイン算出部２２は、エンベロープ信号Ｅ（ｋ）と第１残響成分Ｒ１（ｋ）とを比較し、Ｅ（ｋ）＜Ｒ１（ｋ）となる区間（本発明の第１の区間）において、（１）式で算出したゲインＧ（ｋ）をゲイン下限値にする役割を有する。具体的には、Ｅ（ｋ）＜Ｒ１（ｋ）となる区間の音を後期残響音とみなし、この際にゲインＧ（ｋ）をゲイン下限値に設定する。これにより、後期残響音が十分に抑制される。ただし、本実施形態では、残響時間判定部２４により、ゲイン下限値として、大きいゲイン下限値ＧＬ１と小さいゲイン下限値ＧＬ２（ＧＬ２＜ＧＬ１）の２つを切り替える制御を行うが、この点については後述する。
【００２７】
スムージング処理部２３では、その時点のゲインＧ（ｋ）に対して時間軸に沿ってスムージング処理を施し、時間的な変動が平滑化されたゲインＧｓ（ｋ）を出力する。スムージング処理部２３で適用されるスムージング処理としては、例えば、ゲインＧ（ｋ）の指数移動平均を順次算出し、それをゲインＧｓ（ｋ）とする処理を挙げることができる。ただし、ゲインＧ（ｋ）が時間的に十分滑らかに変化するときは、スムージング処理部２３によるスムージング処理を省略してもよい。スムージング処理部２３から出力されたゲインＧｓ（ｋ）は、前述のゲイン処理部１１を介して、対応する周波数帯域の入力信号Ｘ（ｋ）に乗じられる。
【００２８】
残響時間判定部２４は、前述の残響特性で音響パワーの対数値が時間経過とともに直線的に減少する性質を利用して推定される残響時間の長短を判定する役割を有する。すなわち、残響時間判定部２４は、入力されたエンベロープ信号Ｅ（ｋ）を平滑化するともにリニア値から対数値（ｄＢ）の信号に変換（対数変換）し、その値を第２残響成分Ｒ２（ｋ）として出力し、この第２残響成分Ｒ２（ｋ）の傾き（時間的変化率）に基づいて前述のゲイン算出部２２で用いるゲイン下限値を制御するための判定を行うものである。なお、エンベロープ信号Ｅ（ｋ）の平滑化は、例えば指数移動平均の値を算出して行う。また、残響時間判定部２４におけるエンベロープ信号Ｅ（ｋ）の平滑化では、前述の残響成分推定部２１と同様のパラメータを用いてもよいし、互いに異なるパラメータを用いてもよい。残響時間判定部２４により実行される処理について、詳しくは後述する。
【００２９】
設定部２５は、ゲイン算出部２２における算出処理に用いる各種パラメータが保持されており、必要に応じてゲイン算出部２２に対して所定のパラメータを設定する。例えば、設定部２５には、前述の（１）式に含まれる値ａ、ｂや、前述のゲイン下限値ＧＬ１、ＧＬ２等を含む複数のゲイン下限値の値などが設定されている。なお、設定部２５には、周波数帯域毎に異なるパラメータを設定してもよいが、それぞれの周波数帯域で共通に設定されるパラメータを含んでいてもよい。
【００３０】
以下、図１とともに、図３に示すフローチャートを用いて、主に残響時間判定部２４において実行される具体的な処理の流れについて説明する。図３に示すように、残響時間判定部２４では、前述した通りエンベロープ信号Ｅ（ｋ）に基づいて第２残響成分Ｒ２（ｋ）を生成し（ステップＳ１）、第２残響成分Ｒ２（ｋ）の時間的変化率である傾きを算出する（ステップＳ２）。この場合、第２残響成分Ｒ２（ｋ）が時間的に減少している状況で、短期の間隔で抽出した２値の差分値を求めることにより傾きを求めることができる。本実施形態では、便宜上、第２残響成分Ｒ２（ｋ）の傾き（負）について、その絶対値Ｓを用いて説明する。なお、ゲイン下限値は、音響空間の残響時間が変化したときに変更されればよいので、第２残響成分Ｒ２（ｋ）の傾きとして、数秒から十数秒における、第２残響成分Ｒ２（ｋ）が時間的に減少している区間の傾きの平均値を用いてもよい。
【００３１】
続いて、ステップＳ２で算出した傾きの絶対値Ｓと予め設定される所定値Ｔとの大小関係を判定する（ステップＳ３）。その結果、Ｓ＞Ｔを満たすと判定されたときは（ステップＳ３：ＹＥＳ）、残響時間が短い場合に用いるゲイン下限値ＧＬ１（本発明の第１の下限値）に設定する（ステップＳ４）。一方、Ｓ＞Ｔを満たさないと判定されたときは（ステップＳ３：ＮＯ）、残響時間が長い場合に用いるゲイン下限値ＧＬ２（（本発明の第２の下限値：ＧＬ２＜ＧＬ１）に設定する（ステップＳ５）。これ以降、設定されたゲイン下限値ＧＬ１又はＧＬ２がゲイン算出部２２で用いられる。
【００３２】
ここで、図４は、残響時間判定部２４によるステップＳ３の判定結果に関連し、第２残響成分Ｒ２（ｋ）の２通りの波形及びその傾きの絶対値Ｓの例を示している。それぞれ、第２残響成分Ｒ２（ｋ）が減少に転じてから所定の時間が経過した状況において、図４（Ａ）は残響時間が長い場合の例であり、図４（Ｂ）は残響時間が短い場合の例である。いずれも、第２残響成分Ｒ２（ｋ）のパワー（対数値：ｄＢ）が直線的に減少することがわかる。そして、残響時間が長い図４（Ａ）では、第２残響成分Ｒ２（ｋ）が緩やかな傾きで減少するのに対し、残響時間が短い図４（Ｂ）では、第２残響成分Ｒ２（ｋ）が急峻な傾きで減少していく。
【００３３】
図４に示す所定のタイミングｔ１において、それぞれの第２残響成分Ｒ２に関し、図４（Ａ）の傾きの絶対値Ｓａ及び図４（Ｂ）の傾きの絶対値Ｓｂがそれぞれ得られ、Ｓａ＜Ｓｂの関係となる。この場合、所定値Ｔが、Ｓａ＜Ｔ＜Ｓｂの関係に設定されていれば、図４（Ａ）ではステップＳ３でＳａ＜ＴとなってステップＳ５に進むが、図４（Ｂ）ではステップＳ３でＳｂ＞ＴとなってステップＳ４に進むことになる。つまり、残響時間が長い図４（Ａ）では小さいゲイン下限値ＧＬ２が設定され、残響時間が短い図４（Ｂ）では大きいゲイン下限値ＧＬ１が設定される。なお、２通りのゲイン下限値ＧＬ１、ＧＬ２の具体例としては、例えば、ＧＬ１＝０ｄＢ、ＧＬ２＝−３０ｄＢのように設定することができる。
【００３４】
以上説明したように、本発明に係る残響抑制装置においては、残響時間判定部２４により図３の処理を行うことにより、残響時間の長短に応じてゲイン算出部２２で適用されるゲイン下限値の値を適切に設定することが可能となる。すなわち、他の部屋へ移動するなど、音響空間の残響時間に変化が生じた場合、残響時間が長い音響空間では、ステップＳ１〜Ｓ３を経てＳ＞Ｔを満たさないと判断されるので、相対的に小さいゲイン下限値ＧＬ２が設定され、十分な残響抑制を行うことができる。これに対し、残響時間が短い音響空間では、ステップＳ１〜Ｓ３を経てＳ＞Ｔを満たすと判断されるので、相対的に大きいゲイン下限値ＧＬ１が設定され、不要な残響抑制に伴う使用者の違和感を防止することができる。また、本発明に係る残響抑制装置では、図３に示す簡素な処理を採用しているので、残響時間自体を算出するための複雑な演算処理が不要となる。
【００３５】
なお、本実施形態では、残響時間判定部２４の判定結果に応じて、２通りのゲイン下限値ＧＬ１、ＧＬ２を切り替える制御について説明したが、より多くのゲイン下限値を切り替える制御に対しても本発明の適用が可能である。すなわち、残響時間判定部２４において、第２残響成分Ｒ２（ｋ）の傾きの絶対値Ｓを複数の所定値と順次対比することで多数の判定結果を導き、判定結果に連動して多数のゲイン下限値の中から最適なものを選択することで、きめ細かいゲイン制御及び残響抑制を実現することができる。また、第２残響成分Ｒ２（ｋ）の傾きの関数として、連続的にゲイン下限値を変化させてもよい。この場合、傾きである時間的変化率（負）が小さい場合は、大きい場合に比べて、ゲイン下限値が大きくなるように変化させる必要がある。
【００３６】
本発明に係る残響抑制装置には多様な用途や機器に適用することができる。図５は、本発明に係る残響抑制装置を補聴器に適用した場合の構成例を示している。図５に示す補聴器において、分析フィルタバンク１０、合成フィルタバンク１２、エンベロープ信号生成部２０、残響成分推定部２１、ゲイン算出部２２、スムージング処理部２３、残響時間判定部２４、設定部２５については、図１と同様であるが、入力側のマイクロホン３０と、ゲイン処理部１１を含む補聴処理部３１と、出力側のレシーバ３２とが設けられる。
【００３７】
マイクロホン３０は、外部から入力される音を電気信号に変換し、分析フィルタバンク１０への入力信号として出力する。補聴処理部３１は、分析フィルバンク１０から出力された複数の周波数帯域毎の入力信号Ｘ（ｋ）に対し、各々の使用者の聴力に応じたゲイン調整や使用環境に応じたノイズキャンセルなどの補聴処理を施す機能を有し、図１のゲイン処理部１１と同様の機能を実現する構成要素を含んでいる。レシーバ３２は、例えば、使用者の外耳道内に設置され、補聴処理部３１からの出力信号を音に変換して外耳道内の空間に出力する。図５に示す補聴器においても、本実施形態で説明した残響抑制装置と同様の作用効果を得ることができ、使用者の違和感を低減して快適な補聴器を実現することが可能となる。
【００３８】
また、本発明に係る残響抑制装置は、補聴器以外の多様な機器に適用することができる。すなわち、図１や図５の各構成を具備し、本発明の機能を実現可能であれば、単独で、あるいは他の機器に組み込んで本発明を適用することができる。このような用途において、各構成要素は多様な形態の処理を採用して実現可能であり、その構成や各種設定などについても多様な選択が可能である。
【符号の説明】
【００３９】
１０…分析フィルタバンク
１１…ゲイン処理部
１２…合成フィルタバンク
２０…エンベロープ信号生成部
２１…残響成分推定部
２２…ゲイン算出部
２３…スムージング処理部
２４…残響時間判定部
２５…設定部
３０…マイクロホン
３１…補聴処理部
３２…レシーバ
【図１】
2020028016.tif 000004
【図２】
2020028016.tif 000005
【図３】
2020028016.tif 000006
【図４】
2020028016.tif 000007
【図５】
2020028016.tif 000008